(57)【要約】  側部フレーム部材（１４）と側部フレーム部材間に延びる剛性クロスフレーム部材（１６）とを有するフレームを組み込んだ関節式ベッドは、剛性クロスフレーム部材に固定された可撓性支持部材（１２）を利用する。支持アーム（２０）は、可撓性支持部材の上体部分（１３）を滑らかな支持体と係合させ、かつ、側部フレーム部材との整合位置から、上体部分を持ち上げ位置で角度を持って支持する完全上昇位置までの動作範囲にわたって回動可能である。脚部分調節部材（２４）は、可撓性支持部材の大腿部分（１５）と脚部分（１９）との中間に位置する膝位置で可撓性支持部材に係合する。脚部分調節部材は、側部フレーム部材との整合位置から、大腿部分および脚部分の角度位置決めによる上昇箇所に膝位置を配置する完全上昇位置までの動作範囲にわたって回動可能である。【選択図】図１０
2015522379.tif 000002
【特許請求の範囲】
【請求項１】
関節式ベッドにおいて、
側部フレーム部材（１４）と前記側部フレーム部材間に延びる剛性クロスフレーム部材１６とを有するフレームと、
前記剛性クロスフレーム部材に固定された可撓性支持部材（１２）と、
前記可撓性支持部材の上体部分（１３）を滑らかな支持体と係合させる支持アーム（２０）であり、前記側部フレーム部材との整合位置から、前記上体部分を持ち上げ位置で角度を持って支持する完全上昇位置までの動作範囲にわたって回動可能である前記支持アーム（２０）と、
前記可撓性支持部材の大腿部分（１５）と脚部分（１９）との中間に位置する膝位置で前記可撓性支持部材に係合する脚部分調節部材（２４）であり、前記側部フレーム部材との整合位置から、前記大腿部分および前記脚部分の角度位置決めによる上昇箇所に前記膝位置を配置する完全上昇位置までの動作範囲にわたって回動可能である前記脚部分調節部材（２４）と
を含むことを特徴とする関節式ベッド。
【請求項２】
請求項１に記載の関節式ベッドにおいて、前記滑らかな支持体が、前記支持アーム上で移動可能な複数のシャトル（２２）を含むことを特徴とする関節式ベッド。
【請求項３】
請求項１に記載の関節式ベッドにおいて、前記可撓性支持部材の腰部分での調節可能な変形のために前記可撓性支持部材に係合する腰部支持要素（３２）を更に含むことを特徴とする関節式ベッド。
【請求項４】
請求項３に記載の関節式ベッドにおいて、前記腰部支持要素が、前記支持アーム間に延びる回動可能なカム要素を含み、かつ、前記可撓性支持部材の変形を伴わない第１の位置から前記腰部で前記可撓性支持部材を外側に変形させる第２の位置に選択的に回動可能であることを特徴とする関節式ベッド。
【請求項５】
請求項１に記載の関節式ベッドにおいて、頭部分の前記角度を調節するために前記可撓性支持部材に係合する首角度調節要素（３４）を更に含むことを特徴とする関節式ベッド。
【請求項６】
請求項５に記載の関節式ベッドにおいて、前記首角度調節要素が、前記支持アーム間に延びる回動可能なカム要素を含み、かつ、前記支持アームと面一の第１の位置から、前記支持アームから外側に延びて前記可撓性支持部材の前記頭部分が前記上体部分の残り部分と角度関係をなすように付勢する第２の位置に選択的に回動可能であることを特徴とする関節式ベッド。
【請求項７】
請求項４に記載の関節式ベッドにおいて、前記回動可能なカム要素が、スプラインシャフトによる前記第１の位置から前記第２の位置への共同回動のために前記シャフトに装着された複数のカムセグメントを含むことを特徴とする関節式ベッド。
【請求項８】
請求項６に記載の関節式ベッドにおいて、前記回動可能なカム要素が、スプラインシャフトによる前記第１の位置から前記第２の位置への共同回動のために前記シャフトに装着された複数のカムセグメントを含むことを特徴とする関節式ベッド。
【請求項９】
請求項７に記載の関節式ベッドにおいて、前記回動可能なカム要素が、前記スプラインシャフトに装着された回動レバーを更に含むことを特徴とする関節式ベッド。
【請求項１０】
請求項８に記載の関節式ベッドにおいて、前記回動可能なカム要素が、前記スプラインシャフトに装着された回動レバーを更に含むことを特徴とする関節式ベッド。
【請求項１１】
請求項１に記載の関節式ベッドにおいて、前記可撓性支持部材を貫通して延びかつ前記可撓性支持部材を固定するために前記剛性クロス部材に係合するボルトを備えた円板を更に含むことを特徴とする関節式ベッド。
【発明の詳細な説明】
【技術分野】
【０００１】
関連出願の相互参照
本出願は、「ＡＲＴＩＣＵＬＡＴＩＮＧ  ＢＥＤ  ＷＩＴＨ  ＦＬＥＸＩＢＬＥ  ＭＡＴＴＲＥＳＳ  ＳＵＰＰＯＲＴ」という表題で２０１２年７月２０日に出願され、本出願と共通の譲受人を有する米国仮特許出願第６１６７３８７８号明細書の優先権を主張するものであり、その開示内容が参照により本明細書に組み込まれる。
【０００２】
本発明は、一般に、調節可能なベッドの分野に関し、より詳細には、可撓性マットレス支持体とともに一体の調節可能な腰部支持体と頭部角度調節装置とを有する関節式ベッド用の構造に関する。
【背景技術】
【０００３】
関節式ベッドは、患者をリクライニング姿勢、座った姿勢、脚を上げた姿勢、またはこれらを組み合せた姿勢に位置決めできるようにするために、病院や医療施設で長い間使用されてきた。関節式ベッドの一般的な利用は、読書、全身のリラックスまたは睡眠のためにベッドを所望の位置に調節することから得られる快適さおよび便利さゆえに急速に普及している。
【０００４】
このような関節式ベッドの機械構造および駆動機構は、マットレスと占有者の両方の重量を支持できなければならない。マットレスのサイズ、重量、製造材料および構成、ならびに支持構造のために、システムにおける剛性を維持することが困難な場合もある。典型的な関節式ベッドは、個々に有効であるか複合作動によるかのいずれかの、上体位置決め要素および大腿／下脚位置決め要素を提供する。しかしながら、関節式要素は、典型的には縦寸法と横寸法の両方に延びる剛性要素である。これらの剛性要素は、マットレスの形状を制限し、ベッド内に人間工学的に理想的ではない領域を作り出す場合がある。
【０００５】
関節式ベッドシステムの１つの顕著な欠点は、上体位置決め要素と下脚位置決め要素の両方を上昇させたときに、望ましくない腰部歪みをもたらし得る湾曲姿勢で下背部を位置決めする傾向である。腰部位置決め要素または腰部支持要素が提案されている。しかしながら、調節要素は、マットレスを不利な位置に再配置する、歪める、または損傷する傾向がある。
【０００６】
同様に、上体位置決め要素が上昇位置にある大部分の関節式ベッドでの頭部角度は、頭部と本体の直線的な整合ゆえに満足できるものではない。ヘッドレストも利用可能であるが、上昇位置では上体部分関節式要素が露出されるので、作動システムが複雑であるかまたは見栄えが悪いことが分かる部分とマットレスの上体部分との角度関係を作り出すための調節システム
【０００７】
それゆえ、可撓性マットレス支持部材を有するとともに、マットレスによる干渉が低減された腰部支持調節装置と簡単かつ目立たない作動要素を備えた頭部分調節装置とを提供する関節式ベッドを提供することが望ましい。
【発明の概要】
【０００８】
本明細書に開示する実施形態は、側部フレーム部材と側部フレーム部材間に延びる剛性クロスフレーム部材とを有するフレームを組み込んだ関節式ベッドであり、剛性クロスフレーム部材に固定された可撓性支持部材を利用する関節式ベッドを提供することにより、従来技術の欠陥を克服する。支持アームは、可撓性支持部材の上体部分を滑らかな支持体と係合させ、かつ、側部フレーム部材との整合位置から、上体部分を持ち上げ位置で角度を持って支持する完全上昇位置までの動作範囲にわたって回動可能である。脚部分調節部材は、可撓性支持部材の大腿部分と脚部分との中間に位置する膝位置で可撓性支持部材に係合する。脚部分調節部材は、側部フレーム部材との整合位置から、大腿部分および脚部分の角度位置決めによる上昇箇所に膝位置を配置する完全上昇位置までの動作範囲にわたって回動可能である。
【０００９】
本発明のこれらおよび他の特徴ならびに利点は、添付の図面に関連して考慮されるとき、以下の例示的な実施形態の詳細な説明を参照することにより、より良く理解されるであろう。
【図面の簡単な説明】
【００１０】
【図１】図１は、側部支持体がなくかつ可撓性部材が平坦でない調節可能なベッドシステムの側面図である。
【図２】図２は、ベッドの下からの透視図である。
【図３】図３は、固定円板を示す、可撓性部材が平坦であるベッドの上面透視図である。
【図４】図４は、上体部分が持ち上げられた調節可能なベッドシステムの側面図である。
【図５】図５は、頭部分が持ち上げられたベッドの透視図である。
【図６】図６は、頭部分と脚部分が持ち上げられたベッドの側面図である。
【図７】図７は、頭部分と脚部分が持ち上げられたベッドの透視図である。
【図８】図８は、頭部分と脚部分が持ち上げられ、マットレスが適所に位置するベッドを隠れ線で示す側面図である。
【図９】図９は、マットレスが適所に位置する透視図である。
【図１０】図１０は、頭部調節装置と腰部調節装置を作動させたベッドを隠れ線で示す側面図である。
【図１１】図１１は、頭部調節装置と腰部調節装置を作動させた透視図である。
【図１２】図１２は、マットレスが設置された、図１１と同様の透視図である。
【図１３Ａ】図１３Ａは、カム要素用の例示的な構成部品の等角図である。
【図１３Ｂ】図１３Ｂは、回動レバーが組み込まれたカム要素の等角図である。
【図１４Ａ】図１４Ａは、カム要素用の代替的なケーブル作動システムの等角図である。
【図１４Ｂ】図１４Ｂは、図１４Ａの組み立てられたカム要素の等角図である。
【図１４Ｃ】図１４Ｃは、ケーブル作動システム用のアクチュエータ装置の側面図である。
【図１５】図１５は、支持アームのシャトルの代替的な実施形態である。
【図１６】図１６は、腰部支持形状を拘束するために種々の位置にあるシャトルの側面図である。
【図１７】図１７は、脚部分調節装置の代替的な実施形態の側面図である。
【発明を実施するための形態】
【００１１】
図面に示し本明細書で説明する実施形態は、剛性の個々の支持プラットフォームを排除しかつマットレス用の可撓性支持部材を使用する関節式ベッド用の作動システムを提供する。図面を参照すると、図１および図２は、（後の図に示す）マットレスを支持する可撓性支持体または可撓性部材１２を組み込んだ調節可能なベッドシステム１０を示している。例示的な実施形態における可撓性支持体は、耐火性（ＦＲ）である繊維強化プラスチック（ＦＲＰ）の１／８インチのシートである。側部フレーム部材１４は、ＦＲＰを貫通して延びるボルトを備えた板または円板１８（図３で最も良く分かる）を用いて可撓性部材１２が固定されるクロス部材１６を支持する。回動可能な上体支持アーム２０は、可撓性支持部材１２の上体部分１３をベッドの上端に向けて支持する。可撓性支持部材１２は、支持アームの動作中にそれ自身を再配置するために支持アーム２０上に滑らかに支持される。１つの例示的な実施形態において、支持アーム２０上に支持されるシャトル２２は、可撓性支持部材１２に取り付けられる。脚部分調節部材２４は、可撓性支持部材１２の大腿部分１５と下脚部分１９との間の利用者のほぼ膝位置２５で可撓性支持部材に接触するように位置決めされる。側部フレームは、平坦状態にある可撓性支持部材１２の縁部を受け入れる差込部を含み得る。
【００１２】
図４および図５で分かるように、可撓性支持部材１２の上体部分１３は、側部フレーム部材１４まで延びるとともに側部フレーム部材１４により支持された軸２６を中心に上体支持アーム２０を回動させることにより、持ち上げることができる。支持アーム２０上の作動レバー２１は、回動のためにアクチュエータ２３に取り付けることができる。シャトル２２は、後により詳細に説明するように、腰部角度調節要素および首角度調節要素の伸展を含むマットレスの適切な形状の形成のために、可撓性支持部材１２の所望の箇所での支持アームとの接触を維持するように支持アーム２０に沿って往復移動する。
【００１３】
図６および図７に示すように、利用者の膝位置で可撓性支持部材１２を持ち上げる脚部分調節部材２４は、軸２８を中心に回動させることができる。可撓性支持部材１２は、脚部分調節部材２４にもたせ掛けられた大腿部分１５と下脚部分１９との中立位置を求める回動させた脚部分調節部材上で屈曲する。可撓性支持部材１２は、剛性クロス部材１６に固定された部材の中央での自然な屈曲に基づいて、ベッドの上体部分１３と大腿部分１５／下脚部分１９の両方で滑らかな湾曲を形成する。図８および図９は、マットレス３０が可撓性支持部材１２上に載置された、上体部分と脚部分の両方に関して作動位置にあるベッドを示している。従来技術のベッドでは、マットレスは、関節位置において支持台から持ち上がる傾向がある。可撓性支持部材１２は、支持部材上のマットレスの位置決めをより良く維持するために、関節の角度に自然な輪郭を形成する。加えて、「Ｍａｔｔｒｅｓｓ  Ｒｅｔａｉｎｅｒ  Ｓｙｓｔｅｍ  ｆｏｒ  ａｎ  Ａｄｊｕｓｔａｂｌｅ  Ｂｅｄ」という表題の、本出願と共通の譲受人を有する米国特許出願第１３／３６７，６１６号明細書（その開示内容が参照により本明細書に組み込まれる）に開示されている保持具などのマットレス保持具は、マットレスを可撓性支持部材１２に頭部と足部で拘束するために使用することができる。
【００１４】
追加的に、可撓性支持部材１２の可撓性により、腰部支持および頭部角度位置のために特定の輪郭形成要素を追加することが可能となる。図１０および図１１に示すように、腰部位置決め要素は、腰部分３３で可撓性支持部材１２を外側に屈曲させるために回動させる、上体支持アーム２０間に取り付けられた回動可能な第１のカム要素３２により提供される。図１２に示すように、マットレス３０は、利用者の背中の腰部領域に緩やかに湾曲した更なる支持を与える屈曲位置をとる。同様に、首角度調節要素は、利用者の頭部に更なる傾斜支持を与えるために、頭部分３５で可撓性支持部材１２を外側に屈曲させるために回動可能である、上体支持アーム２０間に取り付けられた回動可能な第２のカム要素３４により提供される。
【００１５】
カム要素３２、３４は、関節式ベッド用の所望の幅のカム要素を作るためにスプラインシャフト３８に装着される（図１３Ａに示すような）多数のカムセグメント３６から形成することができる。スプラインシャフトを受け入れるように適合された回動レバー４０は、図１３Ｂに示すような、アクチュエータへの取り付けのための所望の箇所においてカム要素に点在させることができる。代替的な実施形態において、１つのカムセグメントは、回動レバーを一体化することができる。スプラインシャフトの回動により多数のカムセグメントの共同回動が生じる。追加的に、カムセグメント３６はスプラインシャフトの全幅にわたって延びるものとして図面に示されているが、腰部角度調節カム要素または首角度調節カム要素を可撓性支持部材１２の一部または選択された部分、ひいてはマットレスに係合するように調整するために、カムセグメント３６をシャフトの幅の一部のみの上に位置決めすることができる。
【００１６】
カム要素の作動は、代替的な実施形態において図１４Ａ〜図１４Ｃに示すような鞘付きケーブル５０を使用して達成される。カムセグメント３６は、ケーブル５０の端部上のキー５２をレリーフ５４内に係合させる。横溝５６は、キーをレリーフ内に設置できるようにし、その一方で、隣接する縦溝５８は、操作用ケーブルに係合する。支持アーム２０に取り付けられたケーブル用の鞘または外被５５上の固定用ラグ５３は、ケーブルの作動を支持する。図１４Ｂに示すように、ケーブル５０は、カムセグメントから延び、ケーブルに張力が付与されると、カムセグメントおよびスプラインシャフト３８を回動させ、次に、このスプラインシャフト３８が更なるカムセグメントを回動させる。ケーブルの張力の緩和により、図１４Ａに示すように、カムセグメントが回動して支持アーム２０と面一の位置に戻ることを可能にする。カムセグメントによる可撓性支持部材１２への係合が、カムセグメントと可撓性支持部材の下面との間の滑らかな表面での係合に依存し得るか、または、図１４Ａおよび図１４Ｂに示すように、車輪６０をカムセグメントの係合端部に含めることができる。腰部位置決め用の第１のカム要素３２と頭部角度位置決め用の第２のカム要素３４の両方の作動用ケーブルは、実際のカム要素から遠くに離して装着されたアクチュエータに配索することができる。カム要素の作動用ケーブルの使用により、側部フレーム部材１４におけるフレーム内またはケーブルの張力付与による作動のための他の隠れた箇所内にアクチュエータ６２を配置することが可能となり、図１４Ｃに示すように、関節式ベッドの露出した構造に非常にすっきりとした外観を与える。
【００１７】
腰部および首角度支持体用のカム要素３２、３４により可撓性支持部材１２を変位させることによる形状の形成は、支持アーム２０上のシャトル２２の位置決めおよび拘束により達成される。図１５に示すように、図１〜図１１に示す多数のシャトルは、腰部カム要素３２と首角度カム要素３４との中間に位置する、各支持アーム上の単一のシャトル４２に置き換えることができる。シャトル４２の動作は、腰部カム要素３２と首角度調節カム要素３４との間で拘束され、それにより、カム要素を作動させるとカム要素上で可撓性支持部材の形状が自然と形成される。シャトル４２および剛性クロス部材１６での可撓性支持部材１２の拘束は、図１５に示すように、腰部カム要素の回動に応答して可撓性支持部材の形状を形成する。
【００１８】
代替的に、腰部カム要素および首角度カム要素の調節に応答して可撓性支持部材１２の特定の形状湾曲を提供する所定の範囲での支持アーム２０に沿った動作のために、シャトル２２ａおよび２２ｂの一方または両方を拘束することができる。一例として、図１６に示すように、シャトル２２ｂが上方の位置２２ｂ’で拘束されておらずかつ可撓性支持部材が輪郭１２’で示すように平坦である腰部支持体の第１の格納位置に応答して、シャトル２２ａは、下方の初期位置２２ａ’では拘束され得ない。腰部支持カム要素３２を伸展位置に回動させると、シャトル２２ａが支持アーム２０に沿って符号２２ａ”で示す第２の位置まで引き上げられるが、輪郭１２”で示す可撓性支持部材の腰部領域およびマットレスに所望の湾曲を提供するために、シャトル２２ａをストッパ４８により上方の第２の位置で拘束することができる。同様に、シャトル２２ｂは、腰部支持体を格納した上方の初期位置２２ｂ’では拘束されず、腰部カム要素３２を回動させると、支持アーム２０に沿って下方の第２の位置２２ｂ”まで引き下げられる。ストッパ５１は、下方の第２の位置２２ｂ”を画定するために利用することができる。シャトル２２ａおよび２２ｂの初期位置は、支持アーム２０の角度により位置決めされる可撓性支持部材１２の上体部分の位置に対応する。可撓性支持部材１２’’’に対する例示的な第３の下方の位置２２ａ’’’および２２ｂ’’’で示すようなシャトルの位置決めにより任意の所望の輪郭を提供するように、位置ストッパを選択することができる。
【００１９】
同様に、ストッパ５１は、頭部角度カム要素３４の作動に応答して、シャトル２２ｂの下方への移動を制限することができる。図１６に示すように、シャトル２２ｂは、頭部角度が可撓性支持部材の上体部分と整合した上方の初期位置２２ｂ’では拘束されない状態で存在し得る。頭部角度を上げるために頭部角度カム要素３４を回動させると、シャトル２２ｂは、シャトルの下方への更なる並進がストッパ５１により拘束される下方の第２の位置２２ｂ”まで並進することができる。
【００２０】
追加的に、ストッパおよびシャトルの位置決めは、位置２２ａ’’’および２２ｂ’’’で示すように、異なるマットレスの厚さおよび／または剛性に対して腰部位置決め要素に関連する湾曲を変化させるように調節可能であり得る。
【００２１】
追加的に、可撓性支持部材１２を脚部分調節部材２４に確実に取り付けないことにより、利用者の股関節から膝までの大腿の長さを収めるように可撓性支持部材における膝曲げの位置決めを調節することが可能となる。上体部分１３を持ち上げるためにベッドの関節式構造を調節すると、利用者は自然と、マットレスに誘起された湾曲の着座姿勢になる。そして、大腿の長さは、膝曲げ箇所に所要の決定的な寸法となる。この寸法は背の高い利用者と背の低い利用者との間で大きく異なり得るため、従来のベッドはこの差異に十分に対応しない。本実施形態において、脚部分調節部材２４の縦位置は、脚部分調節部材２４の長さを収めるように調節することができる。代替的に、可撓性支持部材１２を膝位置で持ち上げるために、図１７に示すような単一のレバー作動要素６６を用いることができる。アクチュエータ６８により作動要素を通常の持ち上げ位置６６’まで回動させることにより、その回動させた位置に、通常は膝位置にもたせ掛けられた大腿部分１５および下脚部分が配置される。垂直線を越えて位置６６”まで回動させることにより、剛性クロス部材１６に対する膝位置の距離を短縮することが達成され、それにより、大腿部分１５”の長さをより短くすることが可能となる。更に、位置６６”における作動要素６６の中央を越えた回動により生じる自然な高さ低下がより短い大腿の長さを補う。図１７に示すように、作動要素６６は、可撓性支持部材１２の裏面への係合のために車輪７０を利用することができる。
【００２２】
特許法により要求されるように本発明の種々の実施形態をここまで詳細に説明してきたが、当業者であれば、本明細書に開示した具体的な実施形態に対する変更および置換を認識するであろう。そのような変更は、以下の特許請求の範囲で定義される本発明の範囲および意図の範囲内である。
【図１】
2015522379.tif 000003
【図２】
2015522379.tif 000004
【図３】
2015522379.tif 000005
【図４】
2015522379.tif 000006
【図５】
2015522379.tif 000007
【図６】
2015522379.tif 000008
【図７】
2015522379.tif 000009
【図８】
2015522379.tif 000010
【図９】
2015522379.tif 000011
【図１０】
2015522379.tif 000012
【図１１】
2015522379.tif 000013
【図１２】
2015522379.tif 000014
【図１３Ａ】
2015522379.tif 000015
【図１３Ｂ】
2015522379.tif 000016
【図１４Ａ】
2015522379.tif 000017
【図１４Ｂ】
2015522379.tif 000018
【図１４Ｃ】
2015522379.tif 000019
【図１５】
2015522379.tif 000020
【図１６】
2015522379.tif 000021
【図１７】
2015522379.tif 000022
【国際調査報告】
2015522379.tif 000023
2015522379.tif 000024